(57)【要約】【課題】簡単なデザインで使用が容易で低コストの多用途に適用できるデザインを有するツイスト型クリップを提供すること。【構成】ほぼ半円形に湾曲した湾曲部１３ａ、１４ａと、該湾曲部から延出した一対の脚部１３、１４とを備え、これら一対の脚部１３、１４はバネ体で形成され先端部付近１５で交差されている。この交差面１５には、係合部、更に湾曲部のほぼ中央部に把持部１１が形成されている。この発明のクリップは、紙片束用クリップ、選択バサミ、園芸用クリップ等、多用途に使用することができる。【選択図】　　　図１
2004042359.tif 000002
【特許請求の範囲】
【請求項１】
ほぼ半円形に湾曲した湾曲部と、該湾曲部から延出した一対の脚部とを備え、少なくとも該一対の脚部はバネ体で形成され先端部付近で交差されていることを特徴とするツイスト型クリップ。
【請求項２】
ほぼ半円形もしくはコ字状に湾曲した湾曲部と、該湾曲部の一方から延出した脚部とを備えたバネ体２個が対にして左右対称に配設され、該各湾曲部の端部が互いに固定されていると共に、該各脚部の先端部付近で交差されていることを特徴とするツイスト型クリップ。
【請求項３】
上記脚部は、棒状又は帯状のバネ体で形成されていることを特徴とする請求項１又は２記載のツイスト型クリップ
【請求項４】
上記湾曲部及び脚部は、所定の幅を有する帯状バネ片からなり、該各脚部は湾曲部から捻られ該帯状バネ片の平坦面で交差されていることを特徴とする請求項１又は２記載のツイスト型クリップ。
【請求項５】
上記湾曲部は、そのほぼ中央部又は固定部に上記脚部と反対方向に把持部が形成されていることを特徴とする請求項１〜４記載の何れか１つのツイスト型クリップ。
【請求項６】
上記各脚部は、その交差面に係合部が形成されていることを特徴とする請求項１〜５記載の何れか１つのツイスト型クリップ。
【請求項７】
上記各脚部は、上下面を反対にして交差させた交差面にも係合部が形成されていることを特徴とする請求項６記載のツイスト型クリップ。
【請求項８】
ほぼ半円形もしくはコ字状に湾曲した湾曲部と、該湾曲部から延出した一対の脚部とをバネ体で形成し、該脚部の一方の脚部端が他の脚部に近接されていることを特徴とするツイスト型クリップ。
【請求項９】
ほぼＵ字状に屈曲したバネ片と、該Ｕ字状バネ片の開口端付近を横断する帯状バネ片とを備え、該帯状バネ片が該Ｕ字状バネ片の一辺に固定されていることを特徴とするツイスト型クリップ。
【請求項１０】
上記該帯状バネ片は、該Ｕ字状バネ片と一体に形成されていることを特徴とする請求項９記載のツイスト型クリップ。
【請求項１１】
少なくとも上記湾曲部及びバネ体が金属、プラスチック、ゴム、生分解性を有するプラスチック又は紙の何れかの材料で形成されていることを特徴とする請求項１〜１０記載のいずれか１つのツイスト型クリップ。
【発明の詳細な説明】
【０００１】
【発明の属する技術分野】
本発明は、ツイスト型クリップに係り、より詳細には厚物シート状部材を挟むクリップ、或いは野菜栽培及び園芸用クリップ、更には袋、ネット等の包装用の開口袋を結束して封をするクリップ等、広範囲の用途に適応できるデザインを有したツイスト型クリップに関する。
【０００２】
【従来の技術】
従来、シート状部材を挟むクリップ、或いは野菜栽培及び園芸用クリップ、更には袋、ネット等の包装用の開口袋を結束して封をするクリップは、既にそれぞれ市場に多く出回り、多くのユーザーに使用されている。また、これらのクリップに関して、多くの発明、考案がなされ、特許、実用新案登録等の公報で公知となっている。
【０００３】
例えば、シート状部材を挟むクリップは、例えば実開平０５−０８６５６４公報に記載されている。図８は、この公報に記載されたクリップを示し、クリップの外観斜視図である。
【０００４】
このクリップ５０は、一枚の弾性金属板を折り曲げて形成されたもので、中央部に開口部５１が形成された基板部５２と、この基板部５２から略垂直に立ち上った立上り部５３と、この立上り部５３から鋭角に基板部５２側に折り曲げられ、少なくとも開口部５１の外周部に当たる基板部５２に対向した部分に、紙片等との当接部５４が設けられ、この当接部５４から先端部を反基板部側に反わせた導入部５５からなっている。
このクリップ５０は、基板部５２を紙片束の裏面に当て、導入部５５を紙片束の端縁部から押込むことによって手指で装着するものである。
【０００５】
また、野菜栽培及び園芸用クリップは、例えば特開２０００−１８８９６４号公報に記載されている。図９は、この公報に記載されたクリップを示し、該図はクリップの正面図である。
【０００６】
このクリップ６０は、一対の脚部分６１、６２と、各脚部分を互いに連結する略Ｕ形のバネ部分６３と、支柱、例えばイボ竹の直径と実質的に等しいか或いは僅かに大きい内径を有する一対のフック部６４、６５とを備え、各フック部分６４、６５が外方に向って（すなわち、互いに遠去かる方に向って）それぞれ開放し、フック部６４、６５の一方の端部６４ａ、６５ａが、脚部分６１、６２のバネ部分６３に連結されている端部と反対側の端部にそれぞれ連結されている。また、一方のフック部６４は、側方からみて互いに一定間隔を隔てた一対の部材によって構成され、他方のフック部分６５が脚部分を互いの方向に向って押しつけたとき、両方のフック部分を交差させることができるように、上記一対の部材間の空隙と相補する形状を有している。
【０００７】
その使用方法は、脚部分６１、６２を互いに遠去かる方に向って押し広げ、トマト等の茎をフック部分６４、６５の間からバネ部分６３の内側に入れる。次いで、脚部分６１、６２を互いの方に向って押し付け、フック部６４の一対の部材間の空隙にフック部分６５が入るように交差させる。そして、フック部分６４、６５の先端部６４ｂ、６５ｂ間に隙間が開くように押し付け、支柱をフック部分６４、６５の先端部６４ｂ、６５ｂ間の隙間からフック部分６４、６５の内側に入れる。しかる後、脚部分６１、６２を押し付けている力を緩めると、フック部分６４、６５はバネ部分６３の弾性力によって、互いに反対の方に戻ろうとし、支柱を把持する。
【０００８】
更に、ネット等の包装用の開口袋を結束して封をするクリップは、例えば特開２００１−３１０２９号公報に記載されている。図１０は、この公報に記載されたクリップを示し、クリップの平面図である。
【０００９】
このクリップ７０は、樹脂製の平坦な薄い板材で形成され、一端部から結束用クリップの中心部へ向って開口部７１を有し、該開口部７１の奥部の結束用クリップの中央部に袋、ネット等を収容する被結束材収容部７２を連接している。そして、該開口部７１を挟んで一対の脚部７３、７４が形成され、両脚部先端部には鍵状の係止部７５、７６が形成されている。
【００１０】
この結束クリップで被結束部材（図示省略）を結束するには、被結束材収容部７２へ被結束材を収容し、該両脚部７５、７６を互いに交差させて、被結束材収容部７２を頂点とした円錐形状を形成させる。すると、被結束材収容部７２が縮径され、被結束材に圧縮方向への保持力が作用し、この状態で両脚部の先端に形成された互いの係止部７５、７６が係合され、被結束材を圧縮・縮径した状態で保持して、結束を完了するものである。
【００１１】
【発明が解決しようとする課題】
しかし、上記の各クリップは、そのデザインから何れも用途が限定され他の用途に転用できるものでなく、しかも複雑な形状をしていることから製造コストも高価にならざるを得なかった。すなわち、例えば実開平０５−０８６５６４公報記載のシート状部材用クリップは、サイズが小さく、しかも厚い紙片等も綴じることができるが、一枚の弾性金属板を折り曲げて形成されるため、形状が複雑で製造コストが高くなり、且つ、他の用途、野菜栽培及び園芸用クリップ、或いは袋、ネット等の包装用の開口袋を結束して封をするクリップ等に転用できるものではなかった。
【００１２】
また特開２０００−１８８９６４号公報記載のクリップは、上記クリップに比べ、比較的簡単な形状であるものの、使用方法が面倒であり、用途が野菜栽培及び園芸用クリップに限定され、他の用途に転用できない。
【００１３】
更に特開２００１−３１０２９号公報記載のクリップは、単純に脚片を接近させると脚片同士がぶつかったり、脚片の交差が逆になって円錐形状が逆さまになってしまう問題がある上、係合孔と係合孔に差し込んだピンとの間に遊びがあり、ピンの円弧運動に追従して交差する脚片の動きにばらつきがあり、脚片の交差量がまちまちになり、最悪の場合は交差量が不足して袋の結束力が弱くなる課題があった。
【００１４】
したがって、上記各クリップはいずれも、そのデザインから用途が限定されざるを得ず、またコストの問題等で最小限の大きさで、ハンデキャップを持つ人やお年よりには、使い難く、ユニバーサルデザインではなかった。
更に一部のクリップを除いては、再利用されることがないため、廃品或いは解体処理等を行う際に面倒な分別処理作業が必要であった。特に野菜栽培或いは園芸用クリップに使用した際には、その管理或いは解体・分別するのに余計な手間が掛かっていた。
【００１５】
本発明は、上記従来技術が抱える課題を解消するためになされたものであって、その発明の目的は、簡単な構成で使用が容易で且つ低コストの多用途に適用できるデザインを有するツイスト型クリップを提供することにある。
【００１６】
本発明の目的は、また上記目的に加え、係合・固定を確実にすると共に、取り外しが容易なツイスト型クリップを提供することにある。
【００１７】
本発明の目的は、更にまた上記各目的に加え、廃棄等の作業を容易にしたツイスト型クリップを提供することにある。
【００１８】
【課題を解決するための手段】
上記目的は、以下の構成、手段によって達成できる。
本発明のツイスト型クリップは、ほぼ半円形に湾曲した湾曲部と、該湾曲部から延出した一対の脚部とを備え、該一対の脚部はバネ体で形成され先端部付近で交差されていることを特徴とする。
【００１９】
また、本発明のツイスト型クリップは、ほぼ半円形もしくはコ字状に湾曲した湾曲部と、該湾曲部の一方から延出した脚部とを備えたバネ体２個が対にして左右対称に配設され、該各湾曲部の端部が互いに固定されていると共に、該各脚部の先端部付近で交差されていることも特徴とする。
【００２０】
そして、上記脚部は、棒状のバネ体で形成されていることが好ましい。また、上記湾曲部及び脚部は、所定の幅を有する帯状バネ片からなり、該各脚部は湾曲部から捻られ該帯状片の平坦面で交差されていることが好ましい。
更に上記湾曲部は、そのほぼ中央部又は固定部に上記脚部と反対方向に把持部が形成されていることが好ましい。
【００２１】
また、本発明の上記各脚部は、その交差面に係合部が形成されていることが好ましい。更に上記各脚部は、上下面を反対にして交差させた該交差面にも係合部が形成されていることが好ましい。
【００２２】
本発明のツイスト型クリップは、またほぼ半円形もしくはコ字状に湾曲した湾曲部と、該湾曲部から延出した一対の脚部とをバネ体で形成し、該脚部の一方の脚部端が他の脚部に近接されていることを特徴とする。
【００２３】
本発明のツイスト型クリップは、更にまたほぼＵ字状に屈曲したバネ片と、該Ｕ字状バネ片の開口端付近を横断する帯状バネ片とを備え、該帯状バネ片が該Ｕ字状バネ片の一辺に固定されていることを特徴とする。
そして、上記該帯状バネ片は、該Ｕ字状バネ片と一体に形成されていることが好ましい。
【００２４】
上記のツイスト型クリップは、金属、プラスチック、ゴム、或いは生分解性を有するプラスチック又は紙の何れかの材料で形成されていることが好ましい。
【００２５】
このツイスト型クリップは、その使用用途に応じてサイズ、材料及び各部の形状が変更される。例えば、紙片束用クリップ、洗濯バサミ、或いは園芸用クリップ等に使用する場合は、被結束部材の大きさ及び性質等に応じてサイズ、材料及び各部の形状が変更される。
【００２６】
例えば、シート部材、例えば紙片束を挟み込む場合は、紙片束の大きさに適合する大きさにデザインしたものを用いる。そしてこのクリップは、頭部を親指及び人差し指で摘み、一対の脚部を紙片束の端部に押し当て、Ｕ字状の底部に突当たるところまで差し込む。すると、クリップは紙片束に対して各脚部が捻れた状態で差し込まれ、紙片束は両脚部の弾性力によりクリップされることになる。この際、脚部の交差面には、係合部として例えば凹凸が設けられていると、該凸部が紙片表面に押し当て、紙片束をしっかり固定することになる。取外す場合は、頭部を紙片束から引抜くだけでよい。通常のクリップと異なるところは、よじって脱着することである。
【００２７】
したがって、このデザインのクリップを使用すると、シート部材の挟み込みが容易であり、特に厚物シート材の挟み込みに好適で、しかも厚物を入れてもクリップの型崩れが殆どない。また、このクリップの脱着は、シート材等に差し込み、引抜くだけでよいので脱着に力を要しない。しかもバネが不要となっているので付け易い。
【００２８】
また、このデザインのクリップは、紙類のシート材だけでなく、洗濯バサミとしても使用できる。洗濯バサミとして使用する場合は、上記紙類に使用するクリップより、概ね若干大型になるが、形状はほぼ同じである。
【００２９】
洗濯物がシート状のもの、例えばタオルである場合は、タオルを物干し竿に二つ折りにして掛け、二つ折りした部分の端部にクリップの脚部を挟み込み固定する。これにより風等でタオルが竿から外れることがなくなる。タオルを取り込むときは、通常、上記挟み込み方向とは逆方向に引抜いてクリップを取外す。また、通常の取外しとは異なり、クリップを取付けたままタオルの下端を引張って取外すことができる。この場合、二つ折りした一方のタオル片が該クリップ脚部の間をすり抜け、クリップがタオルに付いたまま竿から取外すことができる。
【００３０】
このようにして取外す場合は、市販の洗濯バサミでは、該洗濯バサミはタオルから飛び散り、付近へ飛んでしまうが、このクリップはタオルに付着しており、飛び散ることがない。それ故、紛失も無くなり、しかも、タオルにくっ付いてくるので、折りたたむ際に取外すことができる。
【００３１】
更にこのクリップは、野菜栽培及び園芸用誘引具としても使用できる。誘引具として使用する場合も、上記紙類に使用するクリップより、概ね若干大型になるが、形状はほぼ同じである。
【００３２】
野菜や花、苗木栽培の誘引具と使用する場合、野菜や花等の茎に隣接して支柱（例えば、イボ竹）が配置されるが、この支柱（図示省略）に茎を固定する手段として、このデザインのクリップを使用する。
【００３３】
その固定方法は、茎を支柱に接近させ、該クリップ脚部を若干開き、茎及び支柱を脚部の間に収め、茎を支柱に固定する。その際、このクリップは、支柱或いは茎の何れの側からでも取付けることができる。すなわち、何れの側からの取付けも、脚部を開き或いは支柱面に交差している端部を当接させて押し込めばよいので、取付けが簡単であり、特に支柱側からの取付けの際は茎を損傷することはない。
【００３４】
また、このクリップは、支柱或いは茎の何れの側からでも取付けることができるので、茎を支柱から離す場合、茎或いは支柱の何れの側に残すことができる。それ故、支柱に残す場合、クリップの回収が容易になり、また植物の茎に残す場合は、クリップを紙或いは生分解性を有するプラスチック製にすることにより、回収が不要になる。特にトマトやキュウリ等のハウス栽培では、ハウス内に残すと害虫の温床となる弊害を避けるために、収穫期終了後植物体をハウス外に持ち出して処分するので、クリップの回収が不要になることで、クリップ回収のための労力が不要となる。
【００３５】
また、この係合部が他の交差面にも形成されていると、クリップの使用中に棒状体からなるバネ体が弱くなっても、脚部上下を入れ替え交差させることにより再利用できる。このとき他の交差面にも係合部が設けられていると、交差面を変更してもこの交差面でも係合させることができる。
【００３６】
【発明の実施の形態】
本発明の実施形態を図面を参照して説明する。なお、本発明は、図面に記載された形態に限定されることなく、特許請求の範囲に記載された発明の範囲で種々の変更が可能であり、それらも本発明の範囲に包含されるものであることは言うまでもない。
【００３７】
図１は、第１の実施形態のツイスト型クリップであって、同図（Ａ）は平面図、同図（Ｂ）は側面図、また図２は、図１のツイスト型クリップを改良した第２の実施形態を示し、同図（Ａ）は平面図、同図（Ｂ）は側面図である。
【００３８】
図１において全体として参照符号１０で示される本発明の好ましい実施形態に係るツイスト型クリップ１０は、頭部１１と、該頭部１１に結合された首部１２を介して連結された２本の脚部１３、１４とからなり、弾性を有する材料で形成される。かかる材料は、金属、プラスチック、ゴム、或いは紙、例えば合成紙等であって、特に、解体・分別作業を容易にするためには、紙或いは生分解性を有するプラスチックを使用する。生分解性プラスチックは、既に公知のもの、例えば生分解澱粉系ポリマー、澱粉―ポリエチレン系ポリマー、或いはグリコールと脂肪族ジカルボン酸とから合成脂肪族ポリエステル、更には光分解性プラスチック等を用いる。
【００３９】
頭部１１は、クリップ作業を行う際の摘み部或いは把持部として機能するものであって、ほぼ円盤状をなし、表裏のほぼ中央部に窪み１１ａが形成される。クリップ作業を行う場合は、親指と人差し指を該窪みに入れクリップを摘み被結束部材に差し込む。
【００４０】
一対の脚部１３、１４は、頭部に結合された首部を経てほぼ半円形に湾曲した湾曲部１３ａ、１４ｂが形成され、端部１３ｃ、１４ｃまで延出された弾性を有する棒状体からなっている。
各棒状体は、その先端部付近１５で互いに交差するように変形される。この変形は、一対の脚部を略Ｕ字状、好ましくは該Ｕ字状の開口端が互いに接近した状態で成形し、その後、該両脚部を加熱屈曲させ、一方の脚部が他方の脚部上に載置させ交差するように変形する。これにより、脚部は、各棒状体の間に開口部１６が形成され、交差面１３ｂ、１４ｂにおいてバネ接触していることになる。
【００４１】
また、図２にみられるように、各棒状体１３、１４の交差面１５に係合部が設けられる。この係合部１３ｂ’、１４ｂ’は、ノコギリ状の凹凸、或いは鉤状に形成され交差面１５で係合されるようにする。また、各係合部１３ｂ’、１４ｂ’は、端部１３ｃ、１４ｃ付近まで設けられる。これにより、被結束部材が開口１６に入っても該被結束部材の大きさに応じて任意の位置で係合できることになる。
【００４２】
また、この係合部は、一方の交差面だけでなく、双方の交差面に設けてもよい（図示省略）。双方の交差面に設けると、クリップの使用中に棒状体からなるバネ体が弱くなっても、脚部上下を入れ替え交差させることにより再利用できる。このとき他の交差面にも係合部が設けられていると、交差面を変更してもこの交差面でも係合させることができる。
【００４３】
このクリップは、種々変更できる。例えば、湾曲部及び脚部には所定の幅を有する帯状バネ片を用い、その脚部は湾曲部から延びたところで捻りを入れ、該帯状片の平坦面で交差させる。さらに細部の形状においても、頭部は、円盤状のものに代えて、球状、三角形状等の任意形状に変形し、また、該頭部に設けた窪みに開口を設けてもよい。
【００４４】
このデザインのツイスト型クリップは、その使用用途に応じてサイズ、材料及び各部の形状が変更される。例えば、紙片束用クリップ、洗濯バサミ、或いは園芸用クリップ等に使用する場合は、被結束部材の大きさ及び性質等に応じてサイズ、材料及び各部の形状が変更される。
【００４５】
例えば、シート部材、例えば紙片束を挟み込む場合は、紙片束の大きさに適合する大きさにデザインしたものを用いる。
このデザインのツイスト型クリップは、頭部を親指及び人差し指で摘み、一対の脚部を紙片束の端部に押し当て、Ｕ字状の底部に突当たるところまで差し込む。すると、クリップは紙片束に対して各脚部が捻れた状態で差し込まれ、紙片束は両脚部の弾性力によりクリップされることになる。この際、脚部の交差面には、係合部として例えば凹凸が設けられていると、該凸部が紙片表面に押し当て、紙片束をしっかり固定することになる。取外す場合は、頭部を紙片束から引抜くだけでよい。通常のクリップと異なるところは、よじって脱着することである。
【００４６】
したがって、このデザインのツイスト型クリップを使用すると、シート部材の挟み込みが容易であり、特に厚物シート材の挟み込みに好適で、しかも厚物を入れてもクリップの型崩れが殆どない。また、このクリップの脱着は、シート材等に差し込み、引抜くだけでよいので脱着に力を要しない。しかもバネが不要となっているので取付け易い。
【００４７】
また、このツイスト型クリップは、紙類のシート材だけでなく、洗濯バサミとしても使用できる。洗濯バサミとして使用する場合は、上記紙類に使用するクリップより、概ね若干大型になるが、形状はほぼ同じである。
【００４８】
洗濯物がシート状のもの、例えばタオルである場合は、タオルを物干し竿に二つ折りにして掛け、二つ折りした部分の端部にクリップの脚部を挟み込み固定する。これにより風等でタオルが竿から外れることがなくなる。タオルを取り入れるときは、通常、上記挟み込み方向と逆方向から引抜いてクリップを取外す。また、通常の取外しとは異なり、クリップを取付けたままタオルの下端を引張って取外すことができる。この場合、二つ折りした一方のタオル片が該クリップ脚部の間をすり抜け、クリップがタオルに付いたまま竿から取外すことができる。
【００４９】
このようにして取外す場合は、市販の洗濯バサミでは、該洗濯バサミはタオルから飛び散り、付近へ飛んでしまうが、このクリップはタイルに付着しており、飛び散ることがない。それ故、紛失も無くなり、しかも、タオルにくっ付いてくるので、折りたたむ際に取外すことができる。
【００５０】
更にこのツイスト型クリップは、野菜栽培及び園芸用誘引具としても使用できる。誘引具として使用する場合も、上記紙類に使用するクリップより、概ね若干大型になるが、形状はほぼ同じである。
野菜や花、苗木栽培の誘引具と使用する場合、野菜や花等の茎に隣接して支柱（例えば、イボ竹）が配置されるが、この支柱（図示省略）に茎を固定する手段として、このデザインのクリップを使用する。
【００５１】
その固定方法は、茎を支柱に接近させ、該クリップ脚部を若干開き、茎及び支柱を脚部の間に収め、茎を支柱に固定する。その際、このクリップは、支柱或いは茎の何れの側からでも取付けることができる。すなわち、何れの側からの取付けも、脚部を開き或いは支柱面に交差している端部を当接させて押し込めばよいので、取付けが簡単であり、特に支柱側からの取付けの際は茎を損傷することはない。
【００５２】
また、このツイスト型クリップは、支柱或いは茎の何れの側からでも取付けることができるので、茎を支柱から離す場合、茎或いは支柱の何れの側に残すことができる。
それ故、支柱に残す場合、クリップの回収が容易になり、また植物の茎に残す場合は、クリップを紙或いは土に分解するプラスチック製にすることにより、回収が不要になる。特にトマトやキュウリ等のハウス栽培では、収穫期終了後植物体をハウス外に持ち出して処分するので、回収が不要になることで、ハウス内に残すと害虫の温床となる弊害を避けることができる。
【００５３】
また、このデザインのツイスト型クリップは、その形状を種々変更できる。以下、他の実施の形態を説明する。以下の説明では、特徴的部分を説示し、材料、形状及び用途等は、上記のものと共通するので、それらの説明を省略する。
【００５４】
図３は、第３の実施形態のツイスト型クリップを示し、同図（Ａ）は該クリップの平面図、同図（Ｂ）、（Ｃ）は（Ａ）のクリップを構成する部品平面図である。
このツイスト型クリップは、同一形状でないバネ片と組み合わせて形成したものである。ツイスト型クリップ２０は、略Ｕ字状バネ体２１と、該Ｕ字状バネ体の間隙を跨ぐ短片バネ体２２とからなる。
【００５５】
略Ｕ字状バネ体２１は、その一側片２１ａは他の側片２１ｃより若干短く形成され、該短側片２１ａの端部に短片バネ体２２が固定される。短片バネ体２２は、バネ弾性を有するように薄板状に形成され、その長さは、略Ｕ字状バネ体２１の側片間の距離とほぼ同一ないし若干長く形成される。また、短片バネ体２２を略Ｕ字状バネ体２１と一体にしてもよい。
【００５６】
このツイスト型クリップの使用方法は、上記クリップと同じであるが、短片バネ体２２のバネ力が弱くなったとき、略Ｕ字状バネ体２１の短側片２１ｃとの交差面を変えることにより、再利用することができる。
【００５７】
図４は、第４の実施形態のツイスト型クリップを示し、同図（Ａ）は該クリップの平面図、同図（Ｂ）、（Ｃ）は（Ａ）の該クリップを構成する部品平面図である。
このツイスト型クリップ３０は、同一形状のバネ片２枚３１、３１’を組み合わせて形成したものである。
【００５８】
各バネ片３１、３１’は、同一形状を有し、略数字の「７」に似た湾曲形状を有する薄状板体で形成される。バネ片の一つ３１は、垂下した短片３１ａと、該短片３１ａと略平行に垂下した片３１ｃの途中から該短片側へ屈曲した長片３１ｄと、該短片３１ａと長片３１ｄの各端部を結合した連結片３１ｂとからなる。短片及び長片のうち、少なくとも長片３１ｄは、バネ弾性を有するように形成される。なお、他のバネ片３１’は、バネ片３１と同一の形状を有するので、数字にダッシュを付し形状、機能が同じなのでその説明を省略する。また、長片３１ｄ、３１ｄ’は、上記クリップの脚部１３、１４に相当する。
【００５９】
ツイスト型クリップ３０を形成するには、先ず、一対のバネ片３１、３１’を準備し、一方のバネ片を表裏反転し、互いに重ね合わせる。その重ね合わせは、両長片３１ｄ、３１ｄ’が交差するように両連結片３１ｂ、３１ｂ’を重ね、該両連結片の接合部分を固定する。固定は、溶着、接着等の手段を用いる。この固定により、各長片３１ｄ、３１ｄ’は互いに交差し、その間に空間３２が形成されことになり、ツイスト型クリップが完成する。使用形態は、上記クリップ１０と同じであるので、その説明を省略する。
【００６０】
なお、上記バネ片は、数字の「７」に類似した形状であったが、これに限定されず任意の形状に変形してもよい。例えば、短片を省いてもよく、また、バネ片は、同一形状でなく、一方の形状片の短片を省き、連結片の端部にほぼ真っ直ぐな長片を固定し、他の長片と交差させてもよい。
【００６１】
図５は、第５の実施形態のツイスト型クリップを示し、同図（Ａ）は該クリップの平面図、同図（Ｂ）、（Ｃ）は（Ａ）のクリップを構成する部品平面図である。
このツイスト型クリップは、同一形状でないバネ片と組み合わせて形成したものである。クリップ３５は、略Ｕ字状バネ体３６と、該Ｕ字状バネ体の間隙を跨ぐ短片バネ体３７とからなる。
【００６２】
ツイスト型クリップ３５は、該短片バネ体３７が該Ｕ字状バネ体３６の一側片３６ａに固定される。固定部分３８は、被結束部材の大きさに応じて側片３６ａの任意の位置に固定される。短片バネ体３７は、バネ弾性を有するように薄板状に形成される。短片バネ体３７は、バネ弾性を有するように薄板状に形成され、その長さは、略Ｕ字状バネ体３６の側片間の距離とほぼ同一ないし若干長く形成される。更に短片バネ体３７を略Ｕ字状バネ体３６と一体にしてもよい。
【００６３】
このクリップの使用方法は、上記クリップと同じであるが、短片バネ体３７のバネ力が弱くなったとき、略Ｕ字状バネ体３７の短側片３６ｃとの交差面を変えることにより、再利用することができる。
【００６４】
図６は、第６の実施形態のツイスト型クリップを示す平面図である。このクリップは、一つのパーツで形成したものである。
このツイスト型クリップ４０は、略数字の「逆７」に似た湾曲形状を有する薄状板体で形成され、垂下した短片４１と、該短片４１と略平行に垂下した片の途中から該短片側へ屈曲し端部４３ａまで延びた長片４３と、該短片４１と該長片４３の各端部を結合した連結片４２とからなる。短片及び長片のうち、少なくとも長片４３は、バネ弾性を有し、該短片４１と該長片４３との間に空間４４及び隙間４５が形成される。この構成によると、長片が交差していないので、成形加工が容易になる。
【００６５】
図７は、第７の実施形態のツイスト型クリップを示し、同図（Ａ）は平面図、同図（Ｂ）は側面図である。このクリップは、特に一本の金属ワイヤで形成したものである。
このツイスト型クリップ４５は、端部４６ａ、４６ｄを有する１本の金属ワイヤ４６を用い、両端４６ａ、４６ｄのほぼ中間部からほぼＵ字状に湾曲させ、更に脚部４６ａ、４６ｂを互いに襷がけし、ほぼ中間点４７で交差させ、湾曲部に空間４８を形成する。
このクリップは、金属ワイヤを用い襷がけに変形するだけでよいので、成形加工が極めて容易になる。
【００６６】
【発明の効果】
以上説明したように、本発明によれば、簡単な構成で使用が容易で低コストの多用途に適用できるデザインを有するツイスト型クリップを実現できる。また、係合・固定を確実にできると共に、取り外しが容易で、しかも廃棄等の作業を容易になる。
【００６７】
更に、その使用用途に応じてサイズ、材料及び各部の形状が変更し、例えば、紙片束用クリップ、洗濯バサミ、或いは園芸用クリップ等の多用途に適用できる。
【図面の簡単な説明】
【図１】本発明の第１の実施形態のツイスト型クリップを示し、同図（Ａ）は平面図、同図（Ｂ）は側面図である。
【図２】本発明の第２の実施形態のツイスト型クリップであって、同図（Ａ）は平面図、同図（Ｂ）は側面図である。
【図３】本発明の第３の実施形態のツイスト型クリップを示し、同図（Ａ）はクリップの平面図、同図（Ｂ）、（Ｃ）は（Ａ）のクリップを構成する部品平面図である。
【図４】本発明の第４の実施形態のツイスト型クリップを示し、同図（Ａ）は該クリップの平面図、同図（Ｂ）、（Ｃ）は（Ａ）の該クリップを構成する部品平面図である。
【図５】本発明の第５の実施形態のツイスト型クリップを示し、同図（Ａ）はクリップの平面図、同図（Ｂ）、（Ｃ）は（Ａ）のクリップを構成する部品平面図である。
【図６】本発明の第６の実施形態のツイスト型クリップを示す平面図である。
【図７】本発明の第７の実施形態のツイスト型クリップを示し、同図（Ａ）は平面図、同図（Ｂ）は側面図である。
【図８】従来技術のクリップを示す外観斜視である。
【図９】従来技術のクリップを示す正面図である。
【図１０】従来技術のクリップを示す平面図である。
【符号の説明】
１０、３０、３５、４０、４５　ツイスト型クリップ
１１　把持部
１３と１４、３１ｄと３１ｄ’、４６ａと４６ｂ　一対の脚部
１３ａ、１４ａ、３１ａ〜３１ｃ、３１ａ’〜３１ｃ’　湾曲部
１３ｂ’、１４ｂ’　係合部
３６　　Ｕ字状バネ体
３７　　帯状バネ片
【図１】
2004042359.tif 000003
【図２】
2004042359.tif 000004
【図３】
2004042359.tif 000005
【図４】
2004042359.tif 000006
【図５】
2004042359.tif 000007
【図６】
2004042359.tif 000008
【図７】
2004042359.tif 000009
【図８】
2004042359.tif 000010
【図９】
2004042359.tif 000011
【図１０】
2004042359.tif 000012